(57)【特許請求の範囲】
【請求項１】
子機と無線通信によって通信可能な無線通信装置において、
前記無線通信装置は、
前記子機を前記無線通信装置のメモリに登録する登録手段と、
前記メモリに登録された前記子機に対して無線信号を送信する送信手段と、
を備え、
前記メモリに前記子機が登録されていない場合に、前記送信手段は前記子機に送信する無線信号をオフにすることを特徴とする無線通信装置。
【請求項２】
前記無線通信装置は、
前記子機が前記無線通信装置に物理的に接続された状態か否かを判断する子機状態判定手段を備え、
前記メモリに登録された前記子機が１台だけであり、かつ前記子機状態判定手段が、前記子機は物理的に無線通信装置に接続されていると判定した場合に、前記送信手段が前記子機に送信する無線信号の送信電力を低減させることを特徴とする請求項１に記載の無線通信装置。
【請求項３】
前記無線通信装置は、
前記子機が前記無線通信装置に物理的に接続された状態か否かを判断する子機状態判定手段を備え、
前記メモリに登録された前記子機が１台だけであり、かつ前記子機状態判定手段が、前記子機は物理的に無線通信装置に接続されていると判定した場合に、前記送信手段が前記子機への無線信号の送信をオフにすることを特徴とする請求項１に記載の無線通信装置。
【請求項４】
前記無線通信装置は、
前記子機が前記無線通信装置に載置され且つ充電されているか否かを判定する充電状態判定手段を備え、
前記メモリに登録された前記子機が１台だけであり、かつ前記充電状態判定手段が、前記子機は前記無線通信装置に載置されて且つ充電されていると判定した場合に、前記送信手段が前記子機に送信する無線信号の送信電力を低減させることを特徴とする請求項１に
記載の無線通信装置。
【請求項５】
前記無線通信装置は、
前記子機が前記無線通信装置に載置され且つ充電されているか否かを判定する充電状態判定手段を備え、
前記メモリに登録された前記子機が１台だけであり、かつ前記充電状態判定手段が、前記子機は前記無線通信装置に載置されて且つ充電されていると判定した場合に、前記送信手段が前記子機に送信する無線信号の送信をオフさせることを特徴とする請求項１に記載の無線通信装置。
【発明の詳細な説明】
【技術分野】
【０００１】
本発明は、親機と、無線通信によって当該親機と電子的に接続される子機を備える無線通信システムに関するものであり、より詳細には、親機と子機間の無線通信信号が他のシステムと干渉するのを低減する機能を備えた無線通信システムに関する。
【背景技術】
【０００２】
従来、コードレス電話システムにおいて、親機と子機間において無線通信を行う際に、常時一定の電力、例えば１０ｍＷで電波の送受信が行われていた。これにより、コードレス電話システムでは親機と子機が離れていても通話することができる反面、通話内容を第３者によって盗聴されやすくなるという問題点があった。
【０００３】
そこで下記特許文献１（特開平５−５５９４８号公報）では、盗聴を防止するとともに無駄な電力消費を抑えた通信装置が開示されている。この通信装置は、親機、子機それぞれが相手からの受信電波の電界強度を測定し、その結果を音声送信周波数帯域とは別の帯域の信号として送信する。そして親機、子機のそれぞれにおいて、相手からの受信電波の電界強度結果が低い場合には送信電力を増し、受信電波の電界強度結果が高い場合には送信電力を低減させる。
【０００４】
この特許文献１の発明では、子機が親機のごく近くに位置する場合、例えば親機の充電台に載置されているような場合に、送信電力をどのように制御するのかということは明記されていない。
【０００５】
ところで、日本では、無線周波数帯の多くが通信や放送用に割当てられており、免許を取得しなければ利用することが許可されていない。しかしながら、２．４ＧＨｚ付近の周波数帯の無線通信は、所定出力以下であれば免許を取得せずに利用することが可能である。そのため、この２．４ＧＨｚ帯の電磁波、或いは無線を利用した各種機器が開発されている。コードレス電話システムの親機と子機間でこの２．４ＧＨｚ帯の電磁波を利用して通信を行うディジタルコードレス電話システムも普及してきている。
【０００６】
しかしながら、これらの２．４ＧＨｚ帯の無線周波数を利用する機器は、ディジタルコードレス電話システムのみならず、無線ＬＡＮ機器、Ｂｌｕｅ  Ｔｏｏｔｈ（登録商標）接続を利用する機器等多岐にわたっており、これらの機器を近くで利用すると、互いの無線通信が干渉するという問題が生じる。
【０００７】
下記特許文献２（特開平８−１６８０７６号公報）は、親機から子機へ送信する制御信号をスロット構成のデータとし、このスロット構成の制御信号を一定間隔で間欠的に送信するとともに、この一定間隔毎の送信をランダムに間引くようにしたディジタルコードレス電話用親機を開示している。これにより、複数の親機が全く同じタイミングで制御信号をそれぞれの子機に対して送信したいような場合であってもそれぞれの子機において親機との通信設定が不可能になることを防止している。
【０００８】
下記特許文献２の発明おいては、それぞれのディジタルコードレス電話システムの子機に対しての干渉を避けることができるが、同じ無線周波数帯を利用する無線ＬＡＮシステムへの悪影響を低減させることについては特許文献２においては言及されていない。
【先行技術文献】
【特許文献】
【０００９】
【特許文献１】特開平５−５５９４８号公報
【特許文献２】特開平８−１６８０７６号公報
【発明の概要】
【発明が解決しようとする課題】
【００１０】
本発明の目的は、親機と、当該親機に無線通信により電子的に接続される子機を備え、親機から子機に無線信号を送信する無線通信システムにおいて、親機から子機への無線信号の送信の際に、同じ周波数帯域を利用する通信システムへの干渉を低減させるとともに、不必要な電力消費を抑制する無線通信システムを提供することである。
【００１１】
本発明の更なる目的は、親機と、当該親機に無線通信により電子的に接続される子機を備え、親機から子機に無線信号を送信するディジタルコードレス電話システムにおいて、親機から子機への無線信号の送信の際に、同じ周波数帯域を利用する無線ＬＡＮシステム等への干渉を低減させるとともに、不必要な電力消費を抑制することである。
【課題を解決するための手段】
【００１２】
上記の課題を解決するために、本発明の無線通信装置は、子機と無線通信によって通信可能な無線通信装置において、前記無線通信装置は、前記子機を前記無線通信装置のメモリに登録する登録手段と、前記メモリに登録された前記子機に対して無線信号を送信する送信手段と、を備え、前記メモリに前記子機が登録されていない場合に、前記送信手段は前記子機に送信する無線信号をオフにすることを特徴とする。
【００１３】
また、本発明の無線通信装置は、前記子機が前記無線通信装置に物理的に接続された状態か否かを判断する子機状態判定手段を備え、前記メモリに登録された前記子機が１台だけであり、かつ前記子機状態判定手段が、前記子機は物理的に無線通信装置に接続されていると判定した場合に、前記送信手段が前記子機に送信する無線信号の送信電力を低減させることを特徴とする。
【００１４】
また、本発明の無線通信装置は、前記子機が前記無線通信装置に物理的に接続された状態か否かを判断する子機状態判定手段を備え、前記メモリに登録された前記子機が１台だけであり、かつ前記子機状態判定手段が、前記子機は物理的に無線通信装置に接続されて
いると判定した場合に、前記送信手段が前記子機への無線信号の送信をオフにすることを特徴とする。
【００１５】
また、本発明の無線通信装置は、前記子機が前記無線通信装置に載置され且つ充電されているか否かを判定する充電状態判定手段を備え、前記メモリに登録された前記子機が１台だけであり、かつ前記充電状態判定手段が、前記子機は前記無線通信装置に載置されて且つ充電されていると判定した場合に、前記送信手段が前記子機に送信する無線信号の送信電力を低減させることを特徴とする。
【００１６】
また、本発明の無線通信装置は、前記子機が前記無線通信装置に載置され且つ充電されているか否かを判定する充電状態判定手段を備え、前記メモリに登録された前記子機が１台だけであり、かつ前記充電状態判定手段が、前記子機は前記無線通信装置に載置されて且つ充電されていると判定した場合に、前記送信手段が前記子機に送信する無線信号の送信をオフさせることを特徴とする。
【発明の効果】
【００１７】
上記の構成により本発明の無線通信システム下記に示す優れた効果を発揮する。すなわち、本発明の無線通信システムによれば、親機のメモリに登録された子機が１台だけであり、さらにその子機が親機に物理的に接続されている場合には、親機の送信手段が子機に送信する無線信号の送信電力を低電力にする。これにより、親機から子機へ送信される無線信号によって同じ周波数帯域を利用する通信システムへの干渉を低減させることができるとともに、不必要な電力消費を抑制することが可能となる。
【００１８】
また、本発明の無線通信システムによれば、親機のメモリに登録された子機が１台だけであり、さらにその子機が親機に物理的に接続されている場合には、親機の送信手段が子機に送信する無線信号をオフにする。これにより、この無線信号によって同じ周波数帯域を利用する通信システムへの干渉をなくすことができ、不必要な電力消費をなくすことが可能となる。
【００１９】
また、本発明の無線通信システムの一態様によれば、親機のメモリに登録された子機が１台だけであり、さらにその子機が親機に載置されて且つ充電されている場合には、親機の送信手段が子機に送信する無線信号の送信電力を低電力にする。これにより、親機から子機へ送信される無線信号によって同じ周波数帯域を利用する通信システムへの干渉を低減させるとともに、不必要な電力消費を抑制することが可能となる。
【００２０】
また、本発明の無線通信システムの一態様によれば、親機のメモリに登録された子機が１台だけであり、さらにその子機が親機に載置されて且つ充電されている場合には、親機の送信手段が子機に送信する無線信号をオフにする。これにより、親機から子機へ送信される無線信号によって同じ周波数帯域を利用する通信システムへの干渉をなくすことができ、不必要な電力消費をなくすことが可能となる。
【００２１】
また、本発明の無線通信システムの一態様によれば、親機のメモリに子機が１台も登録されていない場合には、送信する必要のない子機への無線信号をオフにする。これにより、同じ周波数帯域を利用する通信システムへの干渉をなくすことができ、同時に無駄な電力消費をなくすことが可能となる。
【図面の簡単な説明】
【００２２】
【図１】本実施例のディジタルコードレス電話システム１０の概観図である。
【図２】本実施例のディジタルコードレス電話システムを構成する親機１００の内部ブロック図である。
【図３】本実施例のディジタルコードレス電話システムを構成する子機２００の内部ブロック図である。
【図４】子機２００に対する親機１００の送信電力制御の動作を示すフローチャートである。
【発明を実施するための形態】
【００２３】
以下、本願発明を実施するための最良の形態を実施例と共に図面を参照して詳細に説明する。ただし、以下に示す実施例は、本発明の技術思想を具体化するための無線通信システムとしてディジタルコードレス電話システムを例示して説明するものであって、本発明をこのディジタルコードレス電話システムに特定することを意図するものではなく特許請求の範囲に示した技術思想を逸脱することなくその他の無線通信システムにも等しく適用し得るものである。
【実施例】
【００２４】
まず、図１を参照して、本実施例のディジタルコードレス電話システム１０の各部の構成について説明する。図１は、本実施例のディジタルコードレス電話システム１０の概観図である。
【００２５】
ディジタルコードレス電話システム１０は、親機１００と子機２００を備えて構成される。親機１００は子機２００と無線通信、特に２．４ＧＨｚ帯の無線周波数信号を使用して互いに電子的に接続される。
【００２６】
親機１００は、ハウジング前面上部に設けられた液晶ディスプレイ１２０、ハウジング前面に設けられた複数のボタンからなるダイヤルボタン１３１、各種機能ボタン１３２、ハウジング前面下部に設けられたマイク１７２、ハウジング側面に設けられたアンテナ１８４、後述する子機２００を載置できるようにハウジング前面を部分的に窪ませた形状として形成され、さらに子機２００を載置した状態で子機２００に対して充電を可能にする充電台１４１、充電台１４１の窪み部分内に設けられたスピーカ１７１を備えて構成される。
【００２７】
液晶ディスプレイ１２０はハウジングに組込まれた構成、又は、ハウジングとは別体に形成され、自由に傾きを変えられるようにヒンジによってハウジングに接続されている。
【００２８】
ダイヤルボタン１３１は、電話をかけるときや電話帳登録を行う際の文字や電話番号等の数字を入力するためのテンキーやその他の選択キー、設定キー等が含まれる。各種機能ボタン１３２は、登録された電話番号にワンタッチでダイヤルするための機能キーや留守番電話の設定や解除を行うための機能キーや録音された要件を聞くための機能キー等を備えている。
【００２９】
マイク１７２は、ユーザが子機２００を使用せずに、親機１００の前で発話した音声を集音して電気信号に変換し、後述する方法で電話回線或いは子機２００に送信される。
【００３０】
アンテナ１８４はハウジング側面に一体型、或いはアンテナ自身の向きを変えられるようにヒンジによって取付けられており、親機１００において処理された２．４ＧＨｚ帯の無線周波数の信号を子機２００に送信する。
【００３１】
充電台１４１は、前述したように親機１００のハウジング前面を、子機２００を載置できるように部分的に窪ませた形状として形成されている。また、子機２００を載置した状態で子機２００を構成するハウジングに設けられた子機側充電端子と接触し、電気的に導通して充電を可能にする親機側充電端子（不図示）を備える。
【００３２】
スピーカ１７１は電話回線を介して、或いは子機２００から送信されてきた音声信号を処理して発音させたり、着信音を鳴動させたりする。
【００３３】
子機２００は、受話口２６１、液晶ディスプレイ２２０、各種機能ボタン２３２、ダイヤルボタン２３１、マイク２６２を備えて構成される。
【００３４】
受話口２６１にはスピーカが内蔵されており、ユーザは使用時にこの受話口２６１を耳に当てて通話音声を聞くことができる。液晶ディスプレイ２２０は日付や時刻、子機２００の内線番号、子機に名前を登録したときにはその名前、その他の設定、さらには、親機や他の子機が通話中の際には「回線使用中」等親機が使用されている状態を示す表示がなされる。
【００３５】
各種機能ボタン２３２は液晶ディスプレイ２２０の下方に設けられた十字ボタンや通話ボタン、通話切ボタン等を備えて構成される。これら各種機能ボタン２３２を操作することによって留守番電話の設定や解除、通話開始や通話や操作の中止、発着信の履歴を確認する等各種の機能を利用することができる。
【００３６】
ダイヤルボタン２３１は各種機能ボタン２３２の下方に設けられた複数のボタンであって、電話をかけるときに電話番号を入力するためのテンキーや通話を保留するための保留ボタン等を備えている。
【００３７】
マイク２６２は子機２００のハウジングの最下部に内蔵されており、ユーザが通話時にここに口を近づけて発話すると、その音声を集音し電気信号に変換される。
【００３８】
次に、図２を参照してディジタルコードレス電話システム１０を構成する親機１００の内部構成について説明する。なお、図２は、本実施例のディジタルコードレス電話システムを構成する親機１００の内部ブロック図である。
【００３９】
親機１００は、制御部１１０、液晶ディスプレイ１２０、操作部１３０、子機登録部１１２、子機状態判定部１１３、充電部１４０、着信検出部１５０、回線接続部１６０、音声処理部１７０、送受信部１８０を備えて構成される。
【００４０】
制御部１１０は、例えばフラッシュメモリからなるメモリ１１１に格納されている制御プログラムに基づいて各回路を司り、子機のＩＤを登録するための子機登録部１１２や、子機が親機と物理的に接続されているか否かを判定するための子機状態判定部１１３等を
有している。尚、登録されている子機のＩＤや登録されている子機の台数、更には子機が親機と物理的に接続されているか否かを示す情報は上述したメモリ１１１に格納される。
【００４１】
さらに、メモリ１１１には電話帳等の各種データが記憶される。この電話帳には名称、電話番号、メールアドレス、住所等の個人情報が記憶可能である。
【００４２】
液晶ディスプレイ１２０は、何も操作をしていなときには、日付や時刻、各種機能の設定状態を表示する。さらに、通話中には通話先の電話番号や電話番号に対応付けられて登録されている通話先の名前を表示する。また、子機が使用中には使用中の子機の内線番号と使用中である旨の表示がなされる。
【００４３】
操作部１３０は上述したダイヤルボタン１３１と各種機能ボタン１３２を備えている。
【００４４】
子機登録部１１２は、制御部１１０のメモリ１１１に登録する子機２００のＩＤ、ユーザが子機２００に割当てる名前等を記録することによって子機２００を親機１００に登録する。なお、この登録処理はユーザが各種機能ボタン１３２を操作することによって行われる。
【００４５】
子機状態判定部１１３は、子機２００が親機１００の子機として登録されているか否か、より具体的には、子機２００のＩＤ等の情報が親機１００のメモリに登録されているか否かを判定し、登録されている場合であればその台数も判定する。また、子機状態判定部１１３は親機１００のメモリに登録されている子機２００が１台だけの場合は、その子機２００の状態、つまり、親機１００の充電台１４１に載置されている状態か否かを判定する。充電台１４１に子機２００が載置されているかどうかの判定は、充電台１４１に設けられた親機側充電端子間の電圧或いは充電電流を子機状態判定部１１３が監視し、この充電電圧値の変化、充電電流の有無によって検出する。或いは、充電台１４１にオン／オフフック検出用の接点（不図示）を設けておき、子機２００が載置されるとこの接点が動作することによって子機２００の載置を検出するようにしてもよい。さらには、充電台に光学センサや磁気センサ等を設けておくことによって子機２００の充電台１４１への載置を検出してもよい。
【００４６】
充電部１４０は上述した充電台１４１を備える。また、充電部１４０は充電台１４１に子機２００が載置されている間、所定の直流電圧を子機２００に対して供給し、子機２００の電源部２４０に内蔵されたバッテリーの充電を行う。さらに、充電部１４０は、上記バッテリーへの充電電圧（電流）の値を子機状態判定部１１３に送り、これを受けて子機状態判定部１１３は子機の状態、つまり、子機２００が充電台１４１に載置状態か否かを判定する。
【００４７】
着信検出部１５０は電話回線から着信信号をパルス信号に波形整形して出力し、着信を検出する。回線接続部１６０は電話回線に接続されて回線の解放・閉結を行ったり、メモリ１１１に記憶された電話番号情報或いは子機２００から転送された電話番号情報に基づいて発呼処理を行ったりして電話回線を介して外部の電話装置と接続する。
【００４８】
音声処理部１７０はスピーカ１７１及びマイク１７２と接続されており、マイク１７２において音声から変換されたアナログ信号を所定周波数でサンプリングしてディジタル信号に変換したり、反対に送受信部１８０からのディジタル信号をアナログ信号に変換して増幅し、スピーカ１７１において発音させたりする。
【００４９】
送受信部１８０は、変復調部１８１、ＲＦ／ＩＦ部１８２、パワーアンプ１８３、アンテナ１８４を備えて構成される。変復調部１８１は音声処理部１７０から入力されたディジタル信号を、符号化、圧縮する。変復調部１８１で圧縮されたディジタル信号はＲＦ／ＩＦ部１８２で送信無線信号、例えば、２．４ＧＨｚ帯の信号に変換され、パワーアンプ１８３において送信に必要な電力、例えば１０ｍＷに増幅し、アンテナ１８４に送り込み送信する。
【００５０】
また、アンテナ１８４において入ってきた信号はＲＦ／ＩＦ部１８２において、例えば６００ＭＨｚ等の中間周波数に下げ、次いで変復調部１８１において搬送波からディジタル信号を取り出すとともに圧縮データを復元し、符号化された信号を復号化し、音声処理部１７０に出力する。
【００５１】
なお、パワーアンプ１８３は、後述するが、子機状態判定部１１３によって子機２００が親機１００の充電台１４１に載置されていると判定された際に、親機１００から子機２００に送信される無線信号の送信電力を低電力、或いはオフにする。
【００５２】
次に、図３を参照してディジタルコードレス電話システム１０を構成する子機２００の内部構成について説明する。なお、図３は、本実施例のディジタルコードレス電話システムを構成する子機２００の内部ブロック図である。
【００５３】
子機２００は、制御手段２１０、液晶ディスプレイ２２０、操作部２３０、電源部２４０、充電部２５０、音声処理部２６０、送受信部２７０を備えて構成される。
【００５４】
制御手段２１０は、ＲＡＭやＲＯＭを含むメモリ２１１から構成されるプロセッサであり、メモリ２１１に記録された制御プログラムに基づいて各回路を司り、子機２００の各部の動作を制御・統括する。メモリ２１１には親機１００と同様に電話帳の各種データが記憶される。
【００５５】
液晶ディスプレイ２２０は、何も操作をしていない際には日付や時刻、子機の内線番号、留守番電話の設定等の各種機能の設定状態が表示される。また、通話中には通話先の電話番号や通話時間が表示され、親機１００、また他の子機２００が通話中のときには回線が使用中の旨等が表示される。なお、この液晶ディスプレイ２２０に表示される情報は、親機１００からの無線信号を受信し、その無線信号の内容を反映したものである。
【００５６】
操作部２３０は上述したダイヤルボタン２３１と各種機能ボタン２３２を備えている。
【００５７】
電源部２４０はバッテリーを備えており、このバッテリーから子機２００各部に電力が供給される。また、充電部２５０は親機１００の充電部１４０の充電台１４１に載置される形状に形成され、さらに、充電台１４１に設けられた親機側充電端子に接触して給電される端子や充電回路を備えている。
【００５８】
音声処理部２６０はスピーカ２６１及びマイク２６２と接続されており、マイク２６２において音声から変換されたアナログ信号を所定周波数でサンプリングしてディジタル信号に変換したり、反対に送受信部２７０からのディジタル信号をアナログ信号に変換して増幅し、スピーカ２６１において発音させたりする。
【００５９】
送受信部２７０は、変復調部２７１、ＲＦ／ＩＦ部２７２、パワーアンプ２７３、アンテナ２７４を備えて構成される。変復調部２７１は音声処理部２６０から入力されたディジタル信号を、符号化、圧縮する。変復調部２７１で圧縮されたディジタル信号はＲＦ／ＩＦ部２７２で送信無線信号、例えば、２．４ＧＨｚ帯の信号に変換され、パワーアンプ２７３において送信に必要な電力、例えば１０ｍＷに増幅し、アンテナ２７４に送り込み送信する。
【００６０】
また、アンテナ２７４において入ってきた信号はＲＦ／ＩＦ部２７２において、例えば６００ＭＨｚ等の中間周波数に下げ、次いで変復調部２７１において搬送波からディジタル信号を取り出すとともに圧縮データを復元し、符号化された信号を復号化し、音声処理部２６０に出力する。
【００６１】
次に、図４を参照して本実施例のディジタルコードレス電話システム１０の動作について説明する。なお、図４は子機２００に対する親機１００の送信電力制御の動作を示すフローチャートである。
【００６２】
図４は、ディジタルコードレス電話システムが待機状態である際の動作を示している。ディジタルコードレス電話システムでは、アナログコードレス電話と異なり、待機状態でも親機は子機に対して定期的に無線で信号を送信している。この親機から送信される信号には、親機の状態（例えば、親機が外線通話中であること）を示す情報が含まれている。
【００６３】
ステップＳ４０１において、親機１００の子機状態判定部１１３は、メモリ１１１を参照し、親機１００に子機２００が登録されているか否かを判定する。子機２００が登録されていない場合は、ステップＳ４０４の処理に進む。子機２００が登録されている場合は、ステップＳ４０２の処理に進む。
【００６４】
ステップＳ４０２において、子機状態判定部１１３は、メモリ１１１を参照し、親機１００に登録されている子機２００の台数が１台だけかどうか判定する。登録された子機２００が１台だけではなく複数台存在している場合、ステップＳ４０５の処理に進む。登録された子機２００が１台だけの場合、ステップＳ４０３の処理に進む。
【００６５】
ステップＳ４０３において、子機状態判定部１１３は子機２００が充電台１４１に載置されているか否かを判定する。子機２００が充電台１４１に載置されていることを検出する方法としては、例えば、充電台１４１に設けられた親機側充電端子間の充電電圧や充電電流を子機状態判定部１１３が監視し、この充電電圧や電流の変化によって検出する。或いは、充電台１４１にオン／オフフック検出用の接点（不図示）を設けておき、子機２００が載置されるとこの接点が動作することによって子機２００の載置を検出するようにしてもよい。さらには、充電台に光学センサや磁気センサ等を設けておくことによって子機２００の充電台１４１への載置を検出してもよい。
【００６６】
ステップＳ４０３において子機状態判定部１１３によって子機２００が充電台１４１に載置されていると判定された場合、また、ステップＳ４０１において子機状態判定部１１３によって子機２００が親機１００に登録されていないと判定された場合、ステップＳ４０４の処理に進む。ステップＳ４０４の処理において、送受信部１８０のパワーアンプ１８３は、子機２００に対する送信電力を通常よりも低電力、或いはオフにし処理を終了する。
【００６７】
ステップＳ４０２において親機１００に登録された子機２００が複数台あると判定された場合、或いはステップＳ４０３において親機１００に登録された子機２００が充電台１４１に載置されていないと判定された場合、ステップＳ４０５において、送受信部１８０のパワーアンプ１８３は、子機２００に対する送信電力を通常値、例えば１０ｍＷに設定し、信号を送信し、処理を終了する。
【００６８】
このように本実施例装置では、親機１００に子機２００が載置されている状態で尚且つ親機１００に子機２００が１台のみ登録されている場合には、親機１００は子機２００に対して送信電力を下げて無線信号を送信するか、或いは無線信号の送信を停止する。このため、子機２００が親機１００のすぐそばに置いてある状態では、無線送信のための無駄な電力消費を回避することが可能であるだけでなく、親機から送信された電波により周囲の電子機器が誤動作を起こすといった問題を回避することが可能である。
【符号の説明】
【００６９】
１０    ディジタルコードレス電話システム
１００    親機
１１０    制御部
１１１    メモリ
１１２    子機登録部
１１３    子機状態判定部
１２０    液晶ディスプレイ
１３０    操作部
１４０    充電部
１４１    充電台
１５０    着信検出部
１６０    回線接続部
１７０    音声処理部
１８０    送受信部
２００    子機
２１０    制御部
２２０    液晶ディスプレイ
２３０    操作部
２４０    電源部
２５０    充電部
２６０    音声処理部
２７０    送受信部
【図１】
0005494327.tif 000002
【図２】
0005494327.tif 000003
【図３】
0005494327.tif 000004
【図４】
0005494327.tif 000005